(57)【要約】【課題】本発明は、電池蓋が取り付けられる電子機器側に柔軟性と弾力性を有するパッキンを取り付ける構成とし、パッキンの取り付け時に、捩れなどによって正規の位置からずれる状態とならない取り付けが可能な技術を提供する。【解決手段】電子機器の本体側と電池蓋との間が円形状のパッキンによってシールされる電池収納部のシール装置において、電池収納部の周縁部には、シール部が配置される円形状の配置部、及び電池収納部から配置部へ連通するよう取り付け脚部の挿入溝が形成され、パッキンは柔軟性と弾力性を有し、円形状のシール部とシール部から下方へ延びた複数の取り付け脚部が形成され、シール部には、複数の取り付け脚部の部分からそれぞれ円形状のシール部の中心軸線上で結合する切断可能な支持辺と、支持辺の結合部に形成した摘み部を形成したこと。【選択図】図５
2011154878.tif 000002
【特許請求の範囲】
【請求項１】
電源として用いられるボタン型電池が収納される電池収納部が電子機器の本体側に形成
され、前記電池収納部に着脱自在に取り付けられる電池蓋を備え、前記電子機器の本体側
と前記電池蓋との間が円形状のパッキンによってシールされる電池収納部のシール装置に
おいて、
前記電池収納部の周縁部には、円形状の配置部、及び前記電池収納部から前記配置部へ
連通するよう挿入溝が形成され、
前記パッキンは、柔軟性と弾力性を有し、前記円形状の配置部に配置される円形状のシ
ール部と、前記シール部から下方へ延び前記挿入溝に嵌め合う関係の複数の取り付け脚部
が間隔を存して形成され、
前記シール部には、前記複数の取り付け脚部の部分からそれぞれ前記円形状のシール部
の中心軸線上で結合する切断可能な支持辺と、前記支持辺の結合部に形成した摘み部を形
成した
ことを特徴とする電池収納部のシール装置。
【請求項２】
電源として用いられるボタン型電池が収納される電池収納部が電子機器の本体側に形成
され、前記電池収納部に着脱自在に取り付けられる電池蓋を備え、前記電子機器の本体側
と前記電池蓋との間が円形状のパッキンによってシールされる電池収納部のシール装置に
おいて、
前記パッキンは、柔軟性と弾力性を有し、円形状のシール部と前記シール部から下方へ
延びた複数の取り付け脚部が間隔を存して形成され、
前記電池蓋と前記電池収納部の周縁部には、前記電池蓋の正方向回動に伴って相互に係
止し逆方向回動に伴って離脱するよう複数の蓋側係止突起と本体側係止突起が間隔を存し
て形成され、
前記電池収納部の周縁部には、前記シール部の下部が収容される円形状溝の配置部、及
び前記本体側係止突起間に前記電池収納部から前記配置部へ連通するよう前記取り付け脚
部の挿入溝が形成され、
前記取り付け脚部は、横断面形状が前記シール部の半径方向に長い長円形状または矩形
状をなし、
前記挿入溝の溝幅が、前記取り付け脚部の前記長円形状の短径または前記矩形状の短辺
と嵌り合う寸法をなし、
前記シール部には、前記複数の取り付け脚部の部分からそれぞれ前記円形状のシール部
の中心軸線上で結合する切断可能な支持辺と、前記支持辺の結合部に形成した摘み部を形
成した
ことを特徴とする電池収納部のシール装置。
【請求項３】
電源として用いられるボタン型電池が収納される電池収納部が電子機器の本体側に形成
され、前記電池収納部に着脱自在に取り付けられる電池蓋を備え、前記電子機器の本体側
と前記電池蓋との間が円形状のパッキンによってシールされる電池収納部のシール装置に
おいて、
前記電池収納部の周縁部には、円形状の配置部、及び前記電池収納部から前記配置部へ
連通するよう挿入溝が形成され、
前記パッキンは、柔軟性と弾力性を有し、前記円形状の配置部に配置される円形状のシ
ール部と、前記シール部から下方へ延び前記挿入溝に嵌め合う関係の複数の取り付け脚部
が間隔を存して形成され、
前記シール部は、前記複数の取り付け脚部の部分からそれぞれ前記円形状のシール部の
中心軸線上で結合する切断可能な支持辺と、前記支持辺の結合部に形成した摘み部を形成
し、
前記取り付け脚部が前記挿入溝に挿入され且つ前記シール部が前記円形状の配置部に配
置された状態で、前記支持辺の前記円形状のシール部側の付け根部を切断する
ことを特徴とするパッキンの取り付け方法である。
【発明の詳細な説明】
【技術分野】
【０００１】
本発明は、ボタン型電池を使用する電子機器における電池収納部のシール装置及び電池
収納部へのパッキンの取り付け方法に関する。
【背景技術】
【０００２】
電子機器にボタン型電池を使用する際、この電池は、電子機器に形成した電池収納部に
収納された状態で、電子機器に電池蓋が取り付けられるが、この場合、電子機器と電池蓋
との間がシール用パッキンによって水密的に保たれることにより、電池収納部が防水構造
となるものがある（特許文献１参照）。
【先行技術文献】
【特許文献】
【０００３】
【特許文献１】特開平１１−２７３６４８号公報
【発明の概要】
【発明が解決しようとする課題】
【０００４】
そもそも、このような電子機器と電池蓋との間に用いられるパッキンは、この部分で電
子機器全体の厚さが増すことがないように、パッキンの厚さが制限される。特許文献１の
ものは、電池蓋の裏側周縁に形成した外向きの溝に、パッキンの基部が挿入された状態で
、電池蓋の裏側周縁に亘って取り付けられた状態であるため、パッキンをかなり引っ張り
ながら、電池蓋の外向きの溝にパッキンの基部を挿入した後、電池蓋の裏側周縁に接着す
ることとなろうから、パッキンが十分な伸張性と復元性を有するものでなければならない
。その場合、上記のように、パッキンの厚さが制限されることから、その材質が特定され
ると共に、取り付け作業の面倒さが伴う。
【０００５】
このような点に鑑み、本発明は、電池蓋が取り付けられる電子機器側にパッキンを取り
付ける構成とすることにより、特許文献１のような課題を解決する。そして、パッキンを
接着しない取り付けとし、その場合、パッキンを正規の位置へ配置するための作業性の向
上が図れる技術を提供するものである。
【課題を解決するための手段】
【０００６】
第１発明は、電源として用いられるボタン型電池が収納される電池収納部が電子機器の
本体側に形成され、前記電池収納部に着脱自在に取り付けられる電池蓋を備え、前記電子
機器の本体側と前記電池蓋との間が円形状のパッキンによってシールされる電池収納部の
シール装置において、
前記電池収納部の周縁部には、円形状の配置部、及び前記電池収納部から前記配置部へ
連通するよう挿入溝が形成され、
前記パッキンは、柔軟性と弾力性を有し、前記円形状の配置部に配置される円形状のシ
ール部と、前記シール部から下方へ延び前記挿入溝に嵌め合う関係の複数の取り付け脚部
が間隔を存して形成され、
前記シール部には、前記複数の取り付け脚部の部分からそれぞれ前記円形状のシール部
の中心軸線上で結合する切断可能な支持辺と、前記支持辺の結合部に形成した摘み部を形
成した
ことを特徴とする電池収納部のシール装置である。
ことを特徴とする。
【０００７】
第２発明は、電源として用いられるボタン型電池が収納される電池収納部が電子機器の
本体側に形成され、前記電池収納部に着脱自在に取り付けられる電池蓋を備え、前記電子
機器の本体側と前記電池蓋との間が円形状のパッキンによってシールされる電池収納部の
シール装置において、
前記パッキンは、柔軟性と弾力性を有し、円形状のシール部と前記シール部から下方へ
延びた複数の取り付け脚部が間隔を存して形成され、
前記電池蓋と前記電池収納部の周縁部には、前記電池蓋の正方向回動に伴って相互に係
止し逆方向回動に伴って離脱するよう複数の蓋側係止突起と本体側係止突起が間隔を存し
て形成され、
前記電池収納部の周縁部には、前記シール部の下部が収容される円形状溝の配置部、及
び前記本体側係止突起間に前記電池収納部から前記配置部へ連通するよう前記取り付け脚
部の挿入溝が形成され、
前記取り付け脚部は、横断面形状が前記シール部の半径方向に長い長円形状または矩形
状をなし、
前記挿入溝の溝幅が、前記取り付け脚部の前記長円形状の短径または前記矩形状の短辺
と嵌り合う寸法をなし、
前記シール部には、前記複数の取り付け脚部の部分からそれぞれ前記円形状のシール部
の中心軸線上で結合する切断可能な支持辺と、前記支持辺の結合部に形成した摘み部を形
成した
ことを特徴とする電池収納部のシール装置である。
【０００８】
第３発明は、電源として用いられるボタン型電池が収納される電池収納部が電子機器の
本体側に形成され、前記電池収納部に着脱自在に取り付けられる電池蓋を備え、前記電子
機器の本体側と前記電池蓋との間が円形状のパッキンによってシールされる電池収納部の
シール装置において、
前記電池収納部の周縁部には、円形状の配置部、及び前記電池収納部から前記配置部へ
連通するよう挿入溝が形成され、
前記パッキンは、柔軟性と弾力性を有し、前記円形状の配置部に配置される円形状のシ
ール部と、前記シール部から下方へ延び前記挿入溝に嵌め合う関係の複数の取り付け脚部
が間隔を存して形成され、
前記シール部は、前記複数の取り付け脚部の部分からそれぞれ前記円形状のシール部の
中心軸線上で結合する切断可能な支持辺と、前記支持辺の結合部に形成した摘み部を形成
し、
前記取り付け脚部が前記挿入溝に挿入され且つ前記シール部が前記円形状の配置部に配
置された状態で、前記支持辺の前記円形状のシール部側の付け根部を切断する
ことを特徴とするパッキンの取り付け方法である。
【発明の効果】
【０００９】
パッキンを電池収納部の周縁部に取り付ける場合、摘み部を指で摘んだ状態で、取り付
け脚部が挿入溝に対応する状態に位置決めし、その状態から、電池収納部から取り付け脚
部の一つを挿入溝の一つに挿入し、同様にして、順次他の取り付け脚部を挿入溝に挿入す
る。このため、柔軟性と弾力性を有するパッキンの取り扱いが容易となり、パッキンを電
池収納部の周縁部に取り付ける作業がし易く、且つ、パッキンを捩れのない状態で、配置
部へ配置することができるようになる。
【００１０】
そして、全ての取り付け脚部が各挿入溝に挿入された状態で、各支持辺のシール部側の
付け根部分をカッタで切断する。なお、取り付け脚部の一つを挿入溝の一つに挿入する都
度、その取り付け脚部に対応する支持辺のシール部側の付け根部分をカッタで切断し、順
次他の取り付け脚部を挿入溝に挿入するごとに、支持辺のシール部側の付け根部分をカッ
タで切断することでもよい。
【００１１】
取り付け脚部の横断面形状が円形の場合は、各取り付け脚部を順々に挿入溝に嵌め込ん
でいく場合に捩れが生じて、取り付け脚部間の円形状のシール部の一部に弛みや引っ張り
が生じ、このシール部の一部が配置部の正規位置に配置されない状態となる虞がある。し
かし、第２発明によって、取り付け脚部を横断面形状がシール部の半径方向に長い長円形
状または矩形状とし、取り付け脚部が挿入される挿入溝の溝幅が、取り付け脚部の短径、
または短辺が嵌り合う寸法であるため、各取り付け脚部は、対応する挿入溝に嵌め込まれ
る方向が定まることとなり、上記のような捩れが生じず、パッキンの取り付け時に、円形
状のシール部が配置部の正規位置からずれる状態とならず、電池蓋と電池収納部との間の
防水効果が良好となる。
【００１２】
また、第２発明では、電池収納部の周縁部に、本体側係止突起、及びシール部の下部が
収容される円形状溝の配置部が形成され、更に、本体側係止突起間に電池収納部から配置
部へ連通するよう取り付け脚部の挿入溝が形成されている。これにより、パッキンの取り
付け及び配置が的確となり、電池蓋と電池収納部との間の防水効果が良好となる。
【図面の簡単な説明】
【００１３】
【図１】本発明に係る電気機器の裏側斜視図である。
【図２】本発明に係る電気機器の電池収納部の断面図である。
【図３】本発明に係る電気機器の電池収納部の表側から見た分解斜視図である。
【図４】本発明に係る電気機器の電池収納部の裏側から見た斜視図である。
【図５】本発明に係るパッキンの切断前の一部を拡大で示す裏側から見た平面図である。
【図６】本発明に係るパッキンの切断前の側面図である。
【図７】本発明に係るパッキンの取り付け脚部が挿入される挿入溝部分の斜視図である。
【図８】本発明に係るパッキンの取り付け脚部の部分を拡大して示す平面図である。
【発明を実施するための形態】
【００１４】
本発明は、電源として用いられるボタン型電池が収納される電池収納部が電子機器の本
体側に形成され、前記電池収納部に着脱自在に取り付けられる電池蓋を備え、前記電子機
器の本体側と前記電池蓋との間が円形状のパッキンによってシールされる電池収納部のシ
ール装置において、前記電池収納部の周縁部には、円形状の配置部、及び前記電池収納部
から前記配置部へ連通するよう挿入溝が形成され、前記パッキンは、柔軟性と弾力性を有
し、前記円形状の配置部に配置される円形状のシール部と、前記シール部から下方へ延び
前記挿入溝に嵌め合う関係の複数の取り付け脚部が間隔を存して形成され、前記シール部
には、前記複数の取り付け脚部の部分からそれぞれ前記円形状のシール部の中心軸線上で
結合する切断可能な支持辺と、前記支持辺の結合部に形成した摘み部を形成したものであ
る。
【実施例１】
【００１５】
先ず、本発明に係る電子機器１を図に基づき説明する。電子機器１は、非接触ＩＣカー
ド等のようなカード形態であったり、他の機器と無線によって情報交換する携帯端末機器
であったり、種々のタイプがある。カードのような薄い電子機器１において本発明の効果
が十分発揮できることを説明するために、図に示す実施例の電子機器１は、非接触ＩＣカ
ード等のようなカード形態である場合について記載する。
【００１６】
電子機器１は、変形し難い矩形状形態をなすように合成樹脂成形された本体側２を構成
する外装ケース２に、電子部品が取り付けられ所定の電気配線が形成されたプリント配線
基板３と、外装ケース２の裏側からプリント配線基板３に向かって電池収納部４が貫通形
成され、この電池収納部４に電子機器１の電源用である円板状のボタン型の電池６等が収
容され、外装ケース２の裏側から電池収納部４に着脱自在に合成樹脂成形された電池蓋５
が取り付けられている。
【００１７】
プリント配線基板３は、周縁部が外装ケース２の段差部に接着され、表側が外装ケース
２の段差部に接着されたカバー７によって覆われる。電池６とプリント配線基板３との電
気的接続は、電池６が電池収納部４に収容された状態で、電池６のプラス電極側はプリン
ト配線基板３の取り付けた導電性の板バネ８と接触し、電池６のマイナス電極側は、電池
６とプリント配線基板３との間に介在した導電性の板バネ９と接触することによって達成
される。
【００１８】
電子機器１の本体側２である外装ケース２と電池蓋５との間の隙間は、円形状のパッキ
ン１０によってシールされ、この部分が防水構造となっている。パッキン１０は、柔軟性
と弾性を有するシリコンゴム等の製品であり、円形状のシール部１１と、シール部１１か
ら下方へ延びた複数の取り付け脚部１２が間隔を存して形成されている。
【００１９】
電池収納部４の周縁部には全周にわたってフランジ１３が形成され、このフランジ１３
の上面（外装ケース２の裏側面）が、パッキン１０の配置部１４をなしており、配置部１
４には、シール部１１が配置される。配置部１４は、シール部１１の下部が収容されるた
めの円形状の溝１４Ａによって形成されている。
【００２０】
パッキン１０は、そのシール部１１が、電池蓋５との接触面が電池蓋５に向かって尖っ
た円周面１１Ａを形成すると共に、取り付け脚部１２は、シール部１１から下方へ延び、
その先端には抜け止め用の鍔部１２Ａが形成されている。
【００２１】
フランジ１３には、電池収納部４から配置部１４の溝１４Ａへ連通する方向へ長く、取
り付け脚部１２が挿入される長孔形状の挿入溝１５が形成されている。各取り付け脚部１
２は、取り付け脚部１２の横断面形状が円形の場合と、図７及び図８に示すように、横断
面形状がシール部１１の半径方向Ｙに長い長円形状または矩形状をなす形態がある。取り
付け脚部１２の横断面形状が円形の場合は、挿入溝１５の溝幅Ｔ２が、取り付け脚部１２
と嵌り合う寸法をなす。
【００２２】
また、取り付け脚部１２が、図７及び図８に示すように、横断面形状がシール部１１の
半径方向Ｙに長い長円形状または矩形状をなす場合は、図７に示す挿入溝１５の溝幅Ｔ２
が、取り付け脚部１２の長円形状の短径または矩形状の短辺１２Ｐと嵌り合う寸法をなす
。この場合、取り付け脚部１２の長円形状の長径または矩形状の長辺１２Ｑが、挿入溝１
５の溝幅Ｔ２よりも十分大きい寸法とすることによって、長径または長辺１２Ｂが挿入溝
１５に嵌ることがなく、取り付け脚部１２の短径または短辺１２Ｐが正確に挿入溝１５に
嵌り合う状態とすることができる。
【００２３】
電池蓋５を電池収納部４に着脱自在に取り付ける構成は種々あるが、本発明では、電池
蓋５が電池収納部４にしっかりと固定されるようにするために、電池蓋５と電池収納部４
の周縁部には、電池蓋５の正方向回動に伴って相互に係止し逆方向回動に伴って離脱する
よう、複数の蓋側係止突起１６と本体側係止突起１７が、それぞれ間隔を存して形成され
ている。電池蓋５が外装ケース２へ安定的に取り付けられるようにするために、図示のも
のは、蓋側係止突起１６が、電池蓋５の裏側に直径Ｄ１で形成した円周凸部５Ｐから半径
方向に延出形成され、本体側係止突起１７は、外装ケース２の電池収納部４の周縁のフラ
ンジ１３に形成され、各蓋側係止突起１６と各本体側係止突起１７は、それぞれ１２０度
間隔を存して形成されている。
【００２４】
このため、電池蓋５に１２０度ピッチで形成した蓋側係止突起１６を、電池収納部４の
周縁部に１２０度ピッチに形成した案内切り欠き１８に一致させ、その状態から電池蓋５
の表面に形成した弧状溝５Ａにコインをあてがって、電池蓋５を正方向へ回動させること
により、蓋側係止突起１６が本体側係止突起１７に係止して、電池蓋５が外装ケース２に
取り付けられる。また、この状態から、電池蓋５を逆方向へ回動させて、蓋側係止突起１
６が本体側係止突起１７から外れた状態で、電池蓋５を外装ケース２から取り外すことが
できる。
【００２５】
本発明では、パッキン１０を電池収納部４の周縁部に取り付ける作業がし易く、且つ、
取り付け脚部１２パッキン１０を捩れのない状態で、配置部１４へ配置することができる
ようにする技術を提供する。このため、パッキン１０は、図５及び図６に示すように、シ
ール部１１に、複数の取り付け脚部１２の部分から、それぞれ円形状のシール部１１の中
心軸線ＣＪ上で結合するように延びた支持辺ＳＨと、支持辺ＳＨの結合部に突出形成した
摘み部ＴＭを一体に形成している。支持辺ＳＨは、シール部１１と同一平面上において、
円形状のシール部１１の中心で結合するように延びた状態であってもよいが、摘み部ＴＭ
を摘まんだ際の安定性と、後述の取り付け時の作業性を考慮すれば、図６に示すように、
シール部１１と同一平面上から少しずれた中心軸線ＣＪ上（図６では上方へずれた位置）
で結合する構成が好ましい。
【００２６】
このような構成において、外装ケース２にプリント配線基板３が取り付けられた状態で
、パッキン１０を配置部１４に取り付ける。この取り付けは、パッキン１０の摘み部ＴＭ
を指で摘んだ状態で、取り付け脚部１２が挿入溝１５に対応する状態に位置決めし、その
状態から、鍔部１２Ａをフランジ１３の下面に当接させつつ、電池収納部４から取り付け
脚部１２の一つを挿入溝１５の一つに挿入し、同様にして、順次他の取り付け脚部１２を
挿入溝１５に挿入する。
【００２７】
取り付け脚部１２の横断面形状が円形の場合、各取り付け脚部１２を順々に挿入溝１５
に嵌め込んでいく際に捩れが生じた場合は、取り付け脚部１２相互間の円形状のシール部
１１の一部に弛みや引っ張りが生じ、このシール部１１の一部が配置部１４の正規位置に
配置されない状態となる虞がある。これを防止する方策として、取り付け脚部１２の横断
面形状がシール部１１の半径方向（Ｙ方向）に長い長円形状または矩形状とし、取り付け
脚部１２が挿入される挿入溝１５の溝幅Ｔ２が、取り付け脚部１２の短径１２Ｐまたは短
辺１２Ｐが嵌り合う寸法とすることにより、各取り付け脚部１２が対応する挿入溝１５に
嵌め込まれる方向が定まることとなり、上記のような捩れが生じず、パッキン１０の取り
付け時に、円形状のシール部１１が配置部１４の正規位置からずれる状態とならず、電池
蓋５と電池収納部４との間の防水効果が良好となる。
【００２８】
そして、全ての取り付け脚部１２が各挿入溝１５に挿入され、シール部１１全体が円形
状の溝１４Ａに収納された状態で、パッキン１０の取り付けが終了する。この取り付けに
よって、シール部１１は、尖った円周面１１Ａが円形状の溝１４Ａから露出した状態に、
その下部が円形状の溝１４Ａに収容された状態となる。そして、鍔部１２Ａがフランジ１
３の下面に当接して抜け止め状態となり、シール部１１を円形状の溝１４Ａに安定的に保
持した状態となる。
【００２９】
そして、全ての取り付け脚部１２が各挿入溝１５に挿入され、シール部１１全体が円形
状の溝１４Ａに収納された状態で、図５に拡大で示すように、各支持辺ＳＨのシール部１
１側の付け根部分をカッタＣＴで切断する。なお、取り付け脚部１２の一つを挿入溝１５
の一つに挿入する都度、その取り付け脚部１２に対応する支持辺ＳＨのシール部１１側の
付け根部分をカッタＣＴで切断し、順次他の取り付け脚部１２を挿入溝１５に挿入するご
とに、支持辺ＳＨのシール部１１側の付け根部分をカッタＣＴで切断することでもよい。
【００３０】
このように、本発明では、支持辺ＳＨと摘み部ＴＭを備えるため、パッキン１０の横断
面形状が円形の場合でも、柔軟性と弾力性を有するパッキン１０の取り扱いが容易となり
、パッキン１０を電池収納部４の周縁部に取り付ける際に、取り付け脚部１２を各挿入溝
１５に対応する状態に位置決めし易くなり、パッキン１０を捩れのない状態で、配置部１
４へ配置することができるようになる。また、図５に示すように、取り付け脚部１２に対
応する位置で、支持辺ＳＨがシール部１１に連結されているため、摘み部ＴＭを指で摘ん
だ状態でのパッキン１０の姿勢が安定し、取り付け脚部１２を挿入溝１５に挿入する際の
位置決めがし易くなる。
【００３１】
このようにパッキン１０を取り付け、各支持辺ＳＨのシール部１１側の付け根部分をカ
ッタＣＴで切断した状態で、板バネ８と板バネ９に接触する状態に電池６を電池収納部４
に収容する。そして、電池蓋５の蓋側係止突起１６を、電池収納部４の案内切り欠き１８
に一致させる状態に、電池蓋５を電池収納部４に臨ませる。このとき、電池蓋５の裏側に
形成した円周凸部５Ｐで囲まれた直径Ｄ１の凹部は、電池６の最大直径Ｄ２の部分が収容
される状態となる。その状態から電池蓋５の表面に形成した弧状溝５Ａにコインをあてが
って、電池蓋５を正方向へ回動させることにより、電池蓋５がシール部１１の尖った円周
面１１Ａに当接しつつ、蓋側係止突起１６が本体側係止突起１７に係止して、電池蓋５の
裏面にシール部１１が全周で密着し、電池蓋５が外装ケース２に保持される。
【００３２】
図示のものは、電池６の厚さが略１．６ｍｍ、電池蓋５は厚さｔ２が略０．５ｍｍであ
り、電池蓋５の裏側に形成した直径Ｄ１の凹部周囲の円周凸部５Ｐを含む厚さが略１．８
ｍｍである。また、パッキン１０のシール部１１の厚さが略１ｍｍであり、溝１４Ａの深
さが略０．６ｍｍであり、シール部１１の尖った円周面１１Ａを含む略半分の部分が溝１
４Ａから露出した状態で、シール部１１が溝１４Ａに収納された状態である。
【００３３】
また、電池６の交換などの際は、この状態から、電池蓋５を逆方向へ回動させて、蓋側
係止突起１６が本体側係止突起１７から外れた状態で、電池蓋５を外装ケース２から取り
外し、電池６を電池収納部４から取り出すことができる。
【００３４】
本発明に係る電池収納部のシール装置は、上記のように、パッキンを接着しない取り付
けとすることにより、パッキンの配置部１４への接着剤の塗布が不要となり、且つ、組み
立て時に接着剤の乾燥時間を確保するための工程も不要となる。
【産業上の利用可能性】
【００３５】
本発明に係る電池収納部のシール装置は、上記実施例に示した構成に限定されず、種々
の形態のものに適用できるものであり、本発明の技術範囲において種々の形態を包含する
ものである。
【符号の説明】
【００３６】
１・・・・・電子機器
２・・・・・本体側である外装ケース
３・・・・・プリント配線基板
４・・・・・電池収納部
５・・・・・電池蓋
６・・・・・電池
７・・・・・カバー
８・・・・・プラス側板バネ
９・・・・・マイナス側板バネ
１０・・・・パッキン
１１・・・・シール部
１１Ａ・・・尖った円周面
１２・・・・取り付け脚部
１２Ａ・・・鍔部
１３・・・・フランジ
１４・・・・配置部
１４Ａ・・・円形状の溝
１５・・・・挿入溝
１６・・・・蓋側係止突起
１７・・・・本体側係止突起
ＳＨ・・・・支持辺
ＴＭ・・・・摘み部
【図１】
2011154878.tif 000003
【図２】
2011154878.tif 000004
【図３】
2011154878.tif 000005
【図４】
2011154878.tif 000006
【図５】
2011154878.tif 000007
【図６】
2011154878.tif 000008
【図７】
2011154878.tif 000009
【図８】
2011154878.tif 000010